(57)【要約】【課題】小型かつ軽量で構造がシンプルである上、メンテナンスや操作が簡単で移動が容易に行え、しかも安全で低コストの金型反転用の器具を提供を図る。【解決手段】金型本体に直接取り付けられる金型反転用のフックであって、フック部と、水平当接板と、該水平当接板に直交し金型と連結するためのボルト通し孔を備えた垂直当接板と、から構成されている。また、金型反転用の基台であって、一対の支持台を補強アングルを介して連設するとともに該支持台間には回転軸が架設され、かつ、該回転軸に装着された一対の支持アーム間に金型反転フックを受け止める係止パイプが架設された少なくとも一以上のハンガー部を備えている構成となっている。【選択図】図６
2007038495.tif 000002
【特許請求の範囲】
【請求項１】
金型本体に直接取り付けられる金型反転用のフックであって、フック部と、水平当接板と、該水平当接板に直交し金型と連結するためのボルト通し孔を備えた垂直当接板と、からなることを特徴とする金型反転フック。
【請求項２】
前記金型反転フックにおいて、垂直当接板が水平当接板に対して垂直方向に位置調節可能な調節機構を備えたことを特徴とする請求項１に記載の金型反転フック。
【請求項３】
金型反転用の基台であって、一対の支持台を補強アングルを介して連設するとともに該支持台間には回転軸が架設され、かつ、該回転軸に装着された一対の支持アーム間に金型反転フックを受け止める係止パイプが架設された少なくとも一以上のハンガー部を備えていることを特徴とする金型反転基台。
【請求項４】
前記金型反転基台において、支持台のフレーム内に昇降機構を設けることで、該支持台の高さ調節を可能としたことを特徴とする請求項３に記載の金型反転基台。
以下、削除
【請求項５】
（回転しない）
前記ハンガー部において、略直角三角形の支持アームの直角部を上にして、長辺部を水平にし、短辺部を垂直に対峙させた状態で該水平にした端点付近に係止パイプを設けて連結し、該短辺の垂直部の最下端付近に切り欠き部を設け、その垂直部の上端にある連結シャフトを略垂直状態から水平状態まで回動可能とする回転軸から成る請求項３の移動式金型反転基台。
【請求項６】
（回転）
前記ハンガー部において、略直角三角形の支持アームの直角部を上にして、長辺部を水平にし、短辺部を垂直に対峙させた状態で該水平にした端点付近に係止パイプを設けて連結し、該短辺の垂直部の最下端付近に切り欠き部を設け、その垂直部の上端にある連結シャフトを略垂直状態から水平状態まで回動可能とする回転軸から成る請求項３の移動式金型反転基台。
【発明の詳細な説明】
【技術分野】
【０００１】
本発明は、プレス成型や射出成型等に用いられる金型を反転するための器具に関し、詳しくは、金型反転フック並びに金型反転基台に関するものである。
【背景技術】
【０００２】
プレス成型や射出成型等に用いられる金型は、その使用頻度、精度維持、製品の仕上がり状況等に合わせ、必要に応じて何らかのメンテナンス作業を行わなければならず、そのメンテナンスには金型の反転作業が行われる。従来において、かかる金型反転作業は、金型の一端あるいは両端をホイストクレーンなどの吊上げ装置で吊り上げることにより行われてきた。一台の吊上げ装置のみで金型を反転させようとすると、かかる金型枠外へアンギュラピンなどの突出物が存在する場合に、かかる突出物を損壊する恐れがあり、非常に慎重かつ時間の掛かる作業を行う必要があった。また、金型両端を同時に吊り上げるためには、ホイストクレーンなどの吊上げ装置が複数台必要であり、多くの設備費用及びスペースが必要となるほか、金型両端の吊り上げるための支点が金型の下部に位置する場合に、反転作業中に金型の重量で支点を中心として回転し上下逆の状態となってしまうなどの問題があった。その使用目的の形状、仕様に応じて数多くの金型反転装置の提案がなされている。
【０００３】
かかる状況に鑑み、従来からいくつかの金型反転装置の提案がなされている。金型反転装置の具体的な例として、モールド反転式の金型反転台車（特許公開平９−１７４６１５）やシリンダー反転式の金型メンテナンス装置（特許公開２００１−３１０３３７）、また、シリンダー反転式とクレーン装置の組合せ装置のワーク反転装置（特許公開平７−３０９５７９）などが提案されている。これらは、いずれも装置自体が大型で高価であったり、さらには、大型のホイストクレーンなどの吊上げ装置やレールなどの移動軌道を必要とするもので、メンテナンススペースがなく複雑に加工機械が配置されている狭い作業現場が多い小規模な工場に導入することは困難であった。
【０００４】
そこで、かかる大型のホイストクレーンなどの吊上げ装置やレールなどの移動軌道が敷設できない小規模な工場では、メンテナンススペースがなく複雑に加工機械が配置されている狭い現場で作業する場合が多く、したがって従来通り通常工場内で使われている昇降手段のチェーンブロックやフォークリフトを汎用的に使って金型を吊上げ、その吊上げた危険な状態から移動や反転作業を行っているのが実情であり、その作業にあたっては、金型自体に損傷を与え精度を損なう可能性があるばかりか、人身事故にも繋がりかねない危険性もあった。
【０００５】
かかる状況から、大型で複数台の吊上げ装置やレール等の軌道施設を必要とすることなく、小型かつ軽量で構造がシンプルである上、メンテナンスや操作が簡単で移動が容易に行え、しかも安全で低コストの金型反転用の器具・装置の提案が望まれていた。
【特許文献１】特開平９−１７４６１５号公報
【特許文献２】特開平２００１−３１０３３７号公報
【特許文献３】特開平７−３０９５７９号公報
【発明の開示】
【発明が解決しようとする課題】
【０００６】
上記問題点に鑑み、本発明は、小型かつ軽量で構造がシンプルである上、メンテナンスや操作が簡単で移動が容易に行え、しかも安全で低コストの金型反転用の器具を提供することを目的とするものである。
【課題を解決するための手段】
【０００７】
前記目的を達成するため、本発明は、金型本体に直接取り付けられる金型反転用のフックであって、フック部と、水平当接板と、該水平当接板に直交し金型と連結するためのボルト通し孔を備えた垂直当接板と、からなる構成の金型反転フックである。
【０００８】
また、本発明は、前記金型反転フックにおいて、垂直当接板が水平当接板に対して垂直方向に位置調節可能な調節機構を備えた構成とすることができる。
【０００９】
さらに、本発明は、金型反転用の基台であって、一対の支持台を補強アングルを介して連設するとともに該支持台間には回転軸が架設され、かつ、該回転軸に装着された一対の支持アーム間に金型反転フックを受け止める係止パイプが架設された少なくとも一以上のハンガー部を備えている構造の金型反転基台である。
【００１０】
またさらに、本発明は、前記金型反転基台において、支持台のフレーム内に昇降機構を設けることで、該支持台の高さ調節を可能とした構造を採用することが可能である。
【発明の効果】
【００１１】
本発明にかかる金型反転フック並びに金型反転基台によれば、大型で複数台の吊上げ装置やレール等の軌道施設を必要とすることなく、小型かつ軽量で構造がシンプルである上、メンテナンスや操作が簡単で移動が容易に行え、しかも安全で低コストの金型反転用の器具を提供することができる。
【発明を実施するための最良の形態】
【００１２】
本発明は、金型に直接連結する金型反転フックと該金型反転フックを受け止める金型反転基台で構成されていることを最大の特徴とする。以下、本発明にかかる金型反転フック並びに金型反転基台の実施形態を、図面に基づいて説明する。
【００１３】
図１は、本発明にかかる金型反転フック１の第一の実施形態を示す斜視図であり、図１（ａ）及び図１（ｂ）はそれぞれ実施形態を示している。また、図２は、該金型反転フック１の金型Ｗへの取り付け態様を示しており、図２（ａ）は斜視図、図２（ｂ）は側面図である。該金型反転フック１は、金型本体に直接取り付けられる金型反転用のフックであって、フック部２と、水平当接板３と、該水平当接板３に直交し金型Ｗと連結するためのボルト通し孔５を備えた垂直当接板４とから構成されている。
【００１４】
フック部２は、引掛けられる対象により、その形状を種々設定することが可能であるが、後述する金型反転基台８のように、引掛けられる対象については係止パイプ１１ｂのようにパイプ状のものであることが望ましく、その場合のフック部２の形状として、図面に示すように、平型状とすることが望ましい。また、その際のフック巾２ａは、係止パイプ１１ｂを安定して保持する上で、ある程度の巾を有することが好ましい。さらに、該フック部２の材質については、金型Ｗの重量を支えることができるだけの剛性を備える金属製であって、また、その剛性を備えるだけの厚みを有している。
【００１５】
水平当接板３並びに垂直当接板４は共に平板状であり、その材質については、上記同様、金型Ｗの重量を支えることができるだけの剛性を備える金属製であって、また、その剛性を備えるだけの厚みを有している。そして、水平当接板３の大きさについては、特に限定はなく、図１（ａ）に示すような小面積のものから図１（ｂ）に示すようなある程度広い面積を備えるものまで、種々の大きさとすることが可能である。垂直当接板４については、金型Ｗにおける上面から少なくともアイボルト１９の差込位置までをカバーする大きさを有しており、かかる垂直当接板４の所定箇所には、アイボルト１９によって金型Ｗと連結するためのボルト通し孔５が備えられている。
【００１６】
水平当接板３と垂直当接板４とは、互いの端辺を突き合わせることで直交させた状態とし、かかる突き合わることでできた角辺中央箇所にフック部２が備えられることで、本発明の第一の実施形態にかかる金型反転フック１が構成される。このとき、フック部２と水平当接板３と垂直当接板４とは、夫々ばらばらのものを溶接等により一体化したり、その全てあるいは一部を一体成型により成型する等が考え得る。
【００１７】
図３は、本発明にかかる金型反転フック１の第二の実施形態を示しており、図３（ａ）は全体斜視図、図３（ｂ）は金型Ｗへの取り付け態様を示す説明図、図３（ｃ）は金型Ｗに取り付けられた状態を示す側面図である。該金型反転フック１は、上記第一の実施形態における垂直当接板４について、水平当接板３に対して垂直方向に位置調節可能な調節機構が備えられた構成となっている。
【００１８】
かかる調節機構については、特に限定するものではなく、種々態様が考え得るが、図面では、フック部２にナットを溶接したネジ孔６を設け、そのネジ孔６に調節ネジ７が螺合されているとともに、調節ネジ７の下端部が垂直当接板４に固着されることにより、かかる調節機構を構成した場合を示している。
【００１９】
図４は、本発明にかかる金型反転基台８を示す斜視図である。該金型反転基台８は、金型反転用の基台であって、一対の支持台９を補強アングル１０を介して連設するとともに該支持台９間には回転軸１２が架設され、かつ、該回転軸１２に装着された一対の支持アーム１１ａ間に金型反転フック２を受け止める係止パイプ１１ｂが架設された少なくとも一以上のハンガー部１１を備えている構造となっている。
【００２０】
支持台９は、左右一対用意され、かかる一対の支持台９は、補強アングル１０により連接固定される。また、一対の支持台９の間には、補強アングル１０とは別に回転軸１２が架設されている。尚、支持台９に対する補強アングル１０の連接位置及び回転軸１２の架設位置については、特に限定するものではないが、回転軸１２の場合は、金型反転フック１を介して金型Ｗを支持する関係上、支持台９の上方位置に架設することが望ましい。また、図面に示すように、支持台９の下面に全方位キャスター２１等を設けて、金型反転基台８を移動自在とすることが望ましい。
【００２１】
また、支持台９には、該支持台９の高さ調節を可能とすべく、昇降機構を設けることもできる。かかる昇降機構の方式については、特に限定するものではなく、ジャッキ式やラック・ピニオン方式等が考え得る。図５は、かかる昇降機構を設けた金型反転基台８を示しており、図５（ａ）はジャッキ式昇降機構を採用した場合、図５（ｂ）はラック・ピニオン方式昇降機構を採用した場合を示している。
【００２２】
図５（ａ）に示すように、ジャッキ式昇降機構を採用した場合は、金型反転基台８のベースにジャッキ１５を取り付け、支持台９の外側フレーム１８に連結された補強アングル部１０を該ジャッキ１５により昇降させて、左右の外側フレーム１８が昇降する構造となっている。尚、図面では、ジャッキ１５の昇降手段としてハンドルＨの回転による手動のものを示しているが、かかる昇降手段に限定されず、油圧等による電動のジャッキ１５昇降手段であってもよい。
【００２３】
また、図５（ｂ）に示すように、ラック・ピニオン方式昇降機構を採用した場合は、金型反転基台８のベースにラック１６が固定され、ピニオン１７に連結されたハンドルＨを回すことで、手動で左右の外側フレーム１８が持ち上げられる構造となっている。
【００２４】
ハンガー部１１は、一対の支持アーム１１ａと該支持アーム１１ａ間に架設される係止パイプ１１ｂとからなり、一対の支持アーム１１ａがそれぞれ回転軸１２へ装着されることで、係止パイプ１１ｂにより金型反転フック２を受け止めるハンガーとして機能する。かかるハンガー部１１は、少なくとも一以上備えられており、また、回転軸１２を中心に回動自在となっている。図６は、かかるハンガー部１１による回動の動作状況について示している。ハンガー部１１を回動自在とすることにより、本金型反転基台８に二以上のハンガー部１１を備えた場合に、不必要なハンガー部１１については、金型Ｗの反転作業の邪魔にならない位置まで回転し待機させておくことが可能であるとともに、金型Ｗの反転作業において、係止パイプ１１ｂからフック部２を外す際に、上方への引張力を逃がす機能を有することとなる。
【００２５】
ハンガー部１１の回動方式については、支持アーム１１ａを回転軸１２に固着するとともに該回転軸１２を支持台９間にベアリング等によって回動自在に架設する方式と、回転軸１２は支持台９に固定した状態で架設して支持アーム１１ａを回転軸１２に回動可能に装着する方式とが考え得るが、いずれの方式であってもよい。このとき、金型Ｗの反転作業を行う上で、回動自在なハンガー部１１を所定の位置で固定する構造が必要となるが、かかる構造については特に限定はない。尚、図面では、支持アーム１１ａを略直角三角形状とし、該支持アーム１１ａにおける一の頂点箇所に切り欠き部１１ｃを設けて、該切り欠き部１１ｃを補強アングル１０に当接させることで、ハンガー部１１を所定の位置に固定する構造について示している。
【００２６】
上記金型反転基台８における各部材の材質・形状・構造については、金属製であって剛性を備えるものである外は、特に限定するものではない。
【００２７】
次に、上記構成からなる本発明にかかる金型反転フック１並びに金型反転基台８を使用した金型Ｗを反転する作業工程について、以下、図面に基づいて順を追って説明する。
【００２８】
まず初めに、金型Ｗの一端にアイボルト１９をねじ込み装着し、チェーンブロックまたはフォークリフトで吊られた吊りフック２０を該アイボルト１９に引掛け装着する（図７）。そして、チェーンブロックまたはフォークリフトを上昇させることにより、金型Ｗは約９０度回転してアイボルト１９が装着された一端が上方を向く状態で上方へ移動し吊り上げられる（図８）。このとき、金型Ｗの最下端部が損傷しないように、注意しながらゆっくりと金型Ｗを吊り上げる。
【００２９】
吊り上げられた状態の金型Ｗの他端に、金型反転フック１をアイボルト等によって固定し、また、金型Ｗの下方スペースに、金型反転基台８を移動・設置する。その後、チェーンブロックまたはフォークリフトを下降させて、金型Ｗを下方へ移動させる。このとき、金型反転基台８におけるハンガー部１１の係止パイプ１１ｂに金型Ｗへ固定された金型反転フック１のフック部２が引っ掛かるように、金型反転基台８の位置調整を行いつつ、場合によっては人の手を添えながら、ゆっくりと金型Ｗを下方へ移動する（図９）。
【００３０】
ハンガー部１１の係止パイプ１１ｂにフック部２が引っ掛かった状態において、さらにチェーンブロックまたはフォークリフトを下降させることにより、金型Ｗは係止パイプ１１ｂを支点として一端が傾倒するように下方へ移動することとなる（図１０）。そして最終的には、金型Ｗは元の状態から１８０度回転して反転した状態となり、その状態の金型Ｗを、移動台車１４等の台座上や床面に載置する（図１１）。
【００３１】
最後に、吊りフック２０をアイボルト１９から外し、チェーンブロックまたはフォークリフトを上昇させ、また、金型反転フック１を金型Ｗから取り外して、さらには、金型反転基台８を移動させることで、金型Ｗを反転する作業工程は終了する（図１２）。その後は、場合によっては金型Ｗを移動台車１４を使ってメンテナンス作業場へ移動したりして、金型Ｗのメンテナンスを行うこととなる。
【産業上の利用可能性】
【００３２】
上述の通り、本発明にかかる金型反転フック１並びに金型反転基台８は、大型で複数台の吊上げ装置やレール等の軌道施設を不要とし、小型かつ軽量で構造がシンプルである上、メンテナンスや操作が簡単で移動が容易に行え、しかも安全で低コストに実現でき、したがって、金型反転の分野において非常に優れた器具を提供することができるものである。
【図面の簡単な説明】
【００３３】
【図１】本発明にかかる金型反転フックの第一の実施形態を示す図である。
【図２】本発明にかかる金型反転フックの第一の実施形態を示す図である。
【図３】本発明にかかる金型反転フックの第二の実施形態を示す図である。
【図４】本発明にかかる金型反転基台を示す斜視図である。
【図５】金型反転基台の昇降機構を示す説明図である。
【図６】金型反転基台におけるハンガー部の回転動作を示す説明図である。
【図７】金型を反転する作業工程を示す説明図である。
【図８】金型を反転する作業工程を示す説明図である。
【図９】金型を反転する作業工程を示す説明図である。
【図１０】金型を反転する作業工程を示す説明図である。
【図１１】金型を反転する作業工程を示す説明図である。
【図１２】金型を反転する作業工程を示す説明図である。
【符号の説明】
【００３４】
１    金型反転フック
２    フック
２ａ  フック巾
３    水平当接板
４    垂直当接板
５    ボルト通し孔
６    ネジ孔
７    調節ネジ
８    金型反転基台
９    支持台
１０    補強アングル
１１    ハンガー部
１１ａ  支持アーム
１１ｂ  係止パイプ
１１ｃ  切り欠き部
１２    回転軸
１４    移動台車
１５    ジャッキ
１６    ラック
１７    ピニオン
１８    外側フレーム
１９    アイボルト
２０    吊りフック  
２１    キャスター
Ｈ    ハンドル
Ｗ    金型
【図１】
2007038495.tif 000003
【図２】
2007038495.tif 000004
【図３】
2007038495.tif 000005
【図４】
2007038495.tif 000006
【図５】
2007038495.tif 000007
【図６】
2007038495.tif 000008
【図７】
2007038495.tif 000009
【図８】
2007038495.tif 000010
【図９】
2007038495.tif 000011
【図１０】
2007038495.tif 000012
【図１１】
2007038495.tif 000013
【図１２】
2007038495.tif 000014
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
金型本体に直接取り付けられる金型反転用のフックであって、フック部と、水平当接板と、該水平当接板に直交し金型と連結するためのボルト通し孔を備えた垂直当接板と、からなることを特徴とする金型反転フック。
【請求項２】
前記金型反転フックにおいて、垂直当接板が水平当接板に対して垂直方向に位置調節可能な調節機構を備えたことを特徴とする請求項１に記載の金型反転フック。
【請求項３】
金型反転用の基台であって、一対の支持台を補強アングルを介して連設するとともに該支持台間には回転軸が架設され、かつ、該回転軸に装着された一対の支持アーム間に金型反転フックを受け止める係止パイプが架設された少なくとも一以上のハンガー部を備えていることを特徴とする金型反転基台。
【請求項４】
前記金型反転基台において、支持台のフレーム内に昇降機構を設けることで、該支持台の高さ調節を可能としたことを特徴とする請求項３に記載の金型反転基台。